(57)【要約】【課題】電子機器の操作パネルが備えるタッチスイッチに利用者が意図せずに触れてしまった場合であっても、利用者が意図しない動作を電子機器が実行することを防ぐ。【解決手段】化粧パネル３３には、表面３３ａの凹部３３ｂと裏面３３ｃの凸部３３ｆとが対となるように形成されている。一方、タッチパネル３４には、化粧パネル３３の凸部３３ｆを挿入可能な挿通孔３４ｂと、挿通孔３４ｂの周縁部３４ｃから挿通孔３４ｂ内部に向けて延出する４つの舌片３４ｄとが形成され、各舌片３４ｄの表面それぞれには電極３８がそれぞれ取り付けられている。さらに、タッチパネル３４は、化粧パネル３３の凸部３３ｆが挿通孔３４ｂに挿入される状態で化粧パネル３３の裏面３３ｃに両面テープ３９を介して貼り付けられることにより、各舌片３４ｄおよび電極３８が化粧パネル３３の凸部３３ｆに接触または近接する。【選択図】図４
2010205438.tif 000002
【特許請求の範囲】
【請求項１】
電子機器に取り付け可能であり、開口部を有する筐体と、
前記筐体内部に配置され、前記開口部から外部へ可視光を照射可能な発光部がその実装面に実装される基板と、
透過性を有する材料によって板状に形成され、少なくとも前記筺体の前記開口部の一部を覆うとともに前記発光部の前方に位置するよう配置され、利用者によるタッチ操作を受けるタッチスイッチがその表面のうちの前記発光部前方の部分に形成される化粧パネルと、
透過性および弾性を有する材料によってシート状に形成され、前記基板と前記化粧パネルとの間に配置され、利用者による前記タッチスイッチへのタッチ操作によってオンオフが切り替わる静電容量スイッチを有するタッチパネルと、
前記筐体内部に配置され、当該操作パネルが搭載される電子機器からの指示に基づき前記発光部を制御して可視光を照射させるとともに、前記静電容量スイッチからの出力信号に基づき前記タッチスイッチへのタッチ操作の有無を検知してその旨を示す信号を前記電子機器へ出力可能な制御部と、
を備える電子機器の操作パネルであって、
前記化粧パネルには、利用者の指先を包囲可能な内周面と前記内周面に囲まれる底部とを有する凹部と、前記化粧パネルの前記凹部が形成される面とは反対側の面から前記発光部へ向けて突出するとともに前記内周面に沿う形状の外周面と前記底部に沿う形状の頂部とを有する凸部とが対になって形成され、
前記タッチパネルには、前記凸部を挿入可能な挿通孔と、前記挿通孔の周縁部から前記挿通孔内部に向けて延出する複数の舌片とが形成され、前記静電容量スイッチが前記複数の舌片と同数存在し、且つ前記複数の舌片には前記静電容量スイッチがそれぞれ取り付けられ、
さらに、
前記タッチパネルは、前記化粧パネルの前記凸部が前記挿通孔に挿入される状態で前記化粧パネルに取り付けられることにより、前記複数の舌片が前記外周面に接触するとともに前記静電容量スイッチが前記外周面に近接または接触し、
前記制御部は、前記静電容量スイッチのうちの二つ以上の静電容量スイッチが同時にオンとなった場合に前記タッチスイッチへのタッチ操作がなされたと判定してその旨を示す信号を前記電子機器へ出力すること
を特徴とする電子機器の操作パネル。
【請求項２】
前記制御部は、前記静電容量スイッチの全てが同時にオンとなったことを所定の期間連続して検知した場合には、前記タッチスイッチへのタッチ操作がなされたと判定した旨の信号を出力することを特徴とする請求項１に記載の電子機器の操作パネル。
【請求項３】
前記タッチパネルは、前記化粧パネルの裏面の凸部より外側の部分に当接されることによって、前記化粧パネルに取り付けられることを特徴とする請求項１または２に記載の電子機器の操作パネル。
【請求項４】
前記タッチパネルには、前記複数の舌片が、前記挿通孔の周縁部の等角度で分割される位置から前記挿通孔内部に向けて延出するように形成されることを特徴とする請求項１〜３の何れかに記載の電子機器の操作パネル。
【発明の詳細な説明】
【技術分野】
【０００１】
本発明は、タッチスイッチを備える電子機器の操作パネルに関する。
【背景技術】
【０００２】
従来より、利用者による操作指示を受け付けるためのタッチスイッチを備え、電子機器に搭載される操作パネルが知られている。
このような電子機器の操作パネルにおいては、利用者によるタッチスイッチへのタッチ操作を検知可能な静電容量スイッチが化粧パネルの裏面に配置され、利用者がタッチスイッチ（化粧パネルの表面）を軽く触れただけで、そのタッチスイッチへのタッチ操作を静電容量スイッチが検知する（例えば、特許文献１参照。）。
【先行技術文献】
【特許文献】
【０００３】
【特許文献１】特開２００８−４６２７６号公報（第８，９頁、図５，６）
【発明の概要】
【発明が解決しようとする課題】
【０００４】
しかし、上述のような電子機器の操作パネルにおいては、利用者がタッチスイッチ（化粧パネルの表面）に意図せずに触れてしまった場合には、静電容量スイッチがそのタッチスイッチへのタッチ操作を検知し、利用者が意図しない動作を電子機器が実行することがあった。特に、例えば電子機器がカラオケ装置である場合に、利用者が意図せずにタッチスイッチとしての演奏停止スイッチや電源スイッチなどに触れたことに起因して演奏停止や電源オフなどの動作がカラオケ演奏中に行われた場合には、歌唱中の利用者に不愉快な思いをさせてしまう。
【０００５】
本発明は、このような課題に鑑みなされたものであり、その目的とするところは、電子機器の操作パネルが備えるタッチスイッチに利用者が意図せずに触れてしまった場合であっても、利用者が意図しない動作を電子機器が実行することを防ぐことにある。
【課題を解決するための手段】
【０００６】
上記課題を解決するためになされた請求項１に係る電子機器の操作パネル（１０：この欄においては、発明に対する理解を容易にするため、必要に応じて「発明を実施するための形態」欄で用いた符号を付すが、この符号によって請求の範囲を限定することを意味するものではない。）は、電子機器に取り付け可能であり、開口部（３１ａ）を有する筐体（３１）と、前記筐体内部に配置され、前記開口部から外部へ可視光を照射可能な発光部（３６）がその実装面に実装される基板（３２）と、透過性を有する材料で板状に形成され、少なくとも前記筺体の前記開口部の一部を覆うとともに前記発光部の前方に位置するよう配置され、利用者によるタッチ操作を受けるタッチスイッチ（３３８）がその表面のうちの前記発光部前方の部分に形成される化粧パネル（３３）と、透過性および弾性を有する材料でシート状に形成され、前記基板と前記化粧パネルとの間に配置され、利用者による前記タッチスイッチへのタッチ操作によってオンオフが切り替わる静電容量スイッチ（３８）を有するタッチパネル（３４）と、前記筐体内部に配置され、当該操作パネルが搭載される電子機器からの指示に基づき前記発光部を制御して可視光を照射させるとともに、前記静電容量スイッチからの出力信号に基づき前記タッチスイッチへのタッチ操作の有無を検知してその旨を示す信号を前記電子機器（１）へ出力可能な制御部（３５）と、を備える。
【０００７】
このうちの前記化粧パネルには、利用者の指先を包囲可能な内周面（３３ｄ）と前記内周面に囲まれる底部（３３ｅ）とを有する凹部（３３ｂ）と、前記化粧パネルの前記凹部が形成される面とは反対側の面（３３ｃ）から前記発光部へ向けて突出するとともに前記内周面に沿う形状の外周面（３３ｇ）と前記底部に沿う形状の頂部（３３ｈ）とを有する凸部（３３ｆ）とが対になって形成される。また、前記タッチパネルには、前記凸部を挿入可能な挿通孔（３４ｂ）と、前記挿通孔の周縁部（３４ｃ）から前記挿通孔内部に向けて延出する複数の舌片（３４ｄ）とが形成され、前記静電容量スイッチが前記複数の舌片と同数存在し、且つ前記複数の舌片には前記静電容量スイッチがそれぞれ取り付けられる。
【０００８】
さらに、前記タッチパネルは、前記化粧パネルの前記凸部が前記挿通孔に挿入される状態で前記化粧パネルに取り付けられることにより、前記複数の舌片が前記外周面に接触するとともに前記静電容量スイッチが前記外周面に近接または接触する。そして、前記制御部は、前記静電容量スイッチのうちの二つ以上の静電容量スイッチが同時にオンとなった場合に前記タッチスイッチへのタッチ操作がなされたと判定してその旨を示す信号を前記電子機器へ出力する。
【０００９】
なお、利用者の指先が化粧パネルの表面に触れただけの場合や利用者の指先が化粧パネルの凹部の奥まで挿入されていない場合などの利用者が意図せずにタッチスイッチに触れてしまったと想定される場合には、複数の静電容量スイッチのうちの二つ以上の静電容量スイッチが同時にオンとなることはなく、制御部もタッチスイッチへのタッチ操作がなされたと判定しない。もちろんこの場合には、制御部は、タッチスイッチへのタッチ操作がなされたと判定した旨を示す信号を電子機器へ出力することはない。
【００１０】
したがって、本発明の電子機器の操作パネルによれば、利用者が意図せずにタッチスイッチに触れてしまった場合であっても、利用者が意図しない動作を電子機器が実行することを防ぐことができる。
【００１１】
また、本発明の電子機器の操作パネルによれば、静電容量スイッチの感度を調整することで、タッチスイッチの種別に応じて誤動作防止レベルを様々に変更できるので、使用状況に応じた対応することができる。
【００１２】
また、請求項２に係る電子機器の操作パネルは、前記制御部は、前記静電容量スイッチの全てが同時にオンとなったことを所定の期間連続して検知した場合には、前記タッチスイッチへのタッチ操作がなされたと判定した旨の信号を出力することを特徴とする。
【００１３】
このように構成された本発明の電子機器の操作パネルによれば、静電容量スイッチの全てが同時にオンになる状態とは、化粧パネルの凹部に挿入された指が凹部のいずれかの側面に偏らず、指が凹部中心に挿入されている状態であると考えられるので、利用者が操作する意思があって指を挿入したと判断できるから、より正確に動作することができる。
【００１４】
また、請求項３に係る電子機器の操作パネルは、前記タッチパネルは、前記化粧パネルの裏面の凸部より外側の部分に当接されることによって、前記化粧パネルに取り付けられることを特徴とする。
【００１５】
このように構成された本発明の電子機器の操作パネルによれば、タッチパネル自体が化粧パネルの裏面の凸部によって撓んで凸部の斜面（外周面）に当接する。このことにより、タッチパネルの化粧パネルへの取付を行う作業者が、化粧パネルの凸部となる化粧パネルの裏面上部から簡単にタッチパネルを正確に取り付けられる。
【００１６】
また、請求項４に係る電子機器の操作パネルは、前記タッチパネルには、前記複数の舌片が、前記挿通孔の周縁部の等角度で分割される位置から前記挿通孔内部に向けて延出するように形成されることを特徴とする。
【００１７】
このように構成された本発明の電子機器の操作パネルによれば、前記複数の舌片それぞれに取り付けられる前記複数の舌片と同数の静電容量スイッチが挿入孔内部に等角度で配置される。このことにより、静電容量スイッチの全てが同時にオンになる状態とは、化粧パネルの凹部に挿入された指が凹部のいずれかの側面に偏らず、指が凹部中心に挿入されている状態であると考えられるので、利用者が操作する意思があって指を挿入したと判断できるから、より正確に動作することができる。
【図面の簡単な説明】
【００１８】
【図１】カラオケ装置１の構成を示すブロック図である。
【図２】操作パネル１０の構成を示すブロック図である。
【図３】操作パネル１０の構成を示す概略構成図であり、（ａ）は化粧パネル３３の正面図であり、（ｂ）はタッチパネル３４の構成を示す概略説明図である。
【図４】（ａ）は図３（ａ）のＡＡ断面図であり、（ｂ）は図３（ａ）のＢＢ断面図（１）であり、（ｃ）は図３（ａ）のＢＢ断面図（２）である。
【図５】タッチスイッチ処理を示すフローチャートである。
【発明を実施するための形態】
【００１９】
以下に本発明の実施形態を図面とともに説明する。
［１．カラオケ装置１の構成の説明］
図１に示すように、電子機器としてのカラオケ装置１は、筐体２、カラオケ装置１全体の制御を司るＣＰＵ１４、及びこのＣＰＵ１４に接続された以下の各部、すなわちカラオケ曲及びドラマや映画などのコンテンツの予約操作などを行うための操作パネル１０、画像情報等を映像化して外部のモニタ２４に出力する映像処理部１１、ＭＰＥＧ映像データの再生手段となるＭＰＥＧデコーダ１２、カラオケ演奏用の楽曲データや映像データその他各種データを記憶しているハードディスク（ＨＤＤ）１３、システムプログラムや各種の設定に必要な設定データなどを記憶しておくメモリ１５、ＬＡＮインターフェース１６、時刻管理をするＲＴＣ（Real Time Clock ）１７、ＭＩＤＩデータ（楽曲データ）に基づく演奏再生を行うＭＩＤＩ音源部１８、ＭＩＤＩ音源部１８による再生音及びマイク２３から入力された利用者の歌声をミキシングする等して適宜音声処理を施し、アンプ２０で増幅した後にスピーカ２２から出力させる音声処理部１９を備えている。
【００２０】
また、筐体２は、その正面に開口部２ａを有しており、この開口部２ａに操作パネル１０が取り付けられている。
［２．操作パネル１０の構成の説明］
図２に示すように、操作パネル１０は、筐体３１と、基板３２と、化粧パネル３３と、タッチパネル３４と、を備える。
【００２１】
［２．１．筐体３１の構成の説明］
筐体３１は、カラオケ装置１の筐体２に取り付けられた際の正面に開口部３１ａを有する箱形状に形成されている。
【００２２】
［２．２．基板３２の構成の説明］
基板３２は、筐体３１内部に配置され、パネルマイコン３５や、筐体３１の開口部３１ａから外部へ可視光を照射可能な８個の発光部としてのＬＥＤ３６、ＩＣチップ３７などの各種電子部品がその実装面３２ａに実装される。なお、図２ではＬＥＤ３６を１個のみ図示している。
【００２３】
また、基板３２の実装面３２ａに実装されるパネルマイコン３５には、ＩＣチップ３７を介してタッチパネル３４に取り付けられた１１個の静電容量スイッチとしての電極３８が接続されている。なお、図２では電極３８を１個のみ図示している。
【００２４】
また、８個のＬＥＤ３６は、それぞれが化粧パネル３３の表面３３ａに形成されたタッチスイッチ３３１〜３３８の後方に配置されるように基板３２の実装面３２ａに実装される。
【００２５】
［２．３．化粧パネル３３の構成の説明］
化粧パネル３３は、透過性を有するアクリルなどの樹脂材料で略方形の板状に形成され、筐体３１の開口部３１ａを覆うとともに基板３２のＬＥＤ３６の前方に位置するよう配置される。
【００２６】
さらに、図３（ａ）に示すように、化粧パネル３３の表面３３ａには、利用者によるタッチ操作を受けるタッチスイッチ３３１〜３３８が形成される。
まず、化粧パネル３３の表面３３ａの正面から向かって左側部分には電源スイッチを示すマークが表示されるとともに、その下側に「電源」と表示される。この化粧パネル３３のマークの部分が電源スイッチ３３１となっている。なお、電源スイッチ３３１は、利用者によるカラオケ装置１の電源状態をオンオフさせる指示を受け付けるためのスイッチである。
【００２７】
また、化粧パネル３３の表面３３ａの中央中段には、正面から向かって左から順に、「ミュージック音量」、「マイク音量」、「マイクエコー音量」と表示され、その上側（上段）および下側（下段）それぞれに各スイッチを示すマークが表示される。この化粧パネル３３の各マークの部分が、正面から向かって上段の左から順に、ミュージック音量スイッチ（増加）３３２、マイク音量スイッチ（増加）３３４、マイクエコー音量スイッチ（増加）３３６となっており、下段の左から順に、ミュージック音量スイッチ（減少）３３３、マイク音量スイッチ（減少）３３５、マイクエコー音量スイッチ（減少）３３７となっている。
【００２８】
なお、ミュージック音量スイッチ３３２，３３３は、利用者によるミュージック音量を増減させる指示を受け付けるためのスイッチである。また、マイク音量スイッチ３３４，３３５は、利用者によるマイク音量を増減させる指示を受け付けるためのスイッチである。また、マイクエコー音量スイッチ３３６，３３７は、利用者によるマイクエコー音量を増減させる指示を受け付けるためのスイッチである。
【００２９】
さらに、化粧パネル３３の表面３３ａの正面から向かって右側部分には凹部３３ｂが形成されるとともに、この凹部３３ｂの周囲に演奏停止スイッチを示すマークが表示され、さらに、このマークの下側に「演奏停止」と表示される。この化粧パネル３３の凹部３３ｂおよびマークの部分が演奏停止スイッチ３３８となっている。なお、演奏停止スイッチ３３８は、利用者によるカラオケ装置１のカラオケ演奏を停止させる指示を受け付けるためのスイッチである。
【００３０】
［２．４．タッチパネル３４の構成の説明］
タッチパネル３４は、図３（ｂ）に示すように、透過性および弾性を有するＰＥＴなどの樹脂材料でシート状に形成される。また、タッチパネル３４の表面３４ａには、電極３８が、薄膜電極として形成されている。さらに、タッチパネル３４の表面３４ａは、両面テープ３９を介して化粧パネル３３の裏面３３ｃに取り付けられている。
【００３１】
なお、電極３８は、化粧パネル３３へのタッチ操作を行う利用者の指先との距離が小さいほど対地間の静電容量（筐体３１が金属製であった場合には筐体３１間の静電容量）が増加するスイッチである。
【００３２】
また、各電極３８には、タッチパネル３４上に配置されるパターンが接続されている。そして、各電極３８は、タッチパネル３４と基板３２とをコネクタなどで接続した際に、基板３２の実装面３２ａに実装されるＩＣチップ３７に上述のパターンを介して接続される。
［３．タッチスイッチ３３１〜３３８の構成および動作の説明］
次に、タッチスイッチ３３１〜３３８の構成および動作について、タッチスイッチ３３１〜３３７、タッチスイッチ３３８の順に説明する。
【００３３】
［３．１．タッチスイッチ３３１〜３３７の構成および動作の説明］
タッチスイッチ３３１〜３３７は、図３（ａ）に示すように、化粧パネル３３の表面３３ａのうちの平坦な部分に形成され、これらタッチスイッチ３３１〜３３７の後方には、タッチパネル３４の表面３４ａに取り付けられた電極３８がそれぞれ配置され、さらに後方には基板３２の実装面３２ａに実装されたＬＥＤ３６がそれぞれ配置される。なお、電極３８は、化粧パネル３３の裏面３３ｃに接触するか、両面テープ３９を介して化粧パネル３３の裏面３３ｃに近接する。
【００３４】
一方、パネルマイコン３５は、タッチスイッチ３３１〜３３７それぞれの後方に配置される電極３８の静電容量の増減を検知するＩＣチップ３７から、静電容量が所定の閾値より増加した場合には利用者の指がタッチスイッチに近づいたことを示す信号を受信する。そして、パネルマイコン３５は、受け取った信号に基づき、電極３８に対応するタッチスイッチについては利用者によるタッチ操作が行われたと判定し、一方、信号を受信しない場合は、電極３８に対応するタッチスイッチについては利用者によるタッチ操作が行われていないと判定する。さらに、パネルマイコン３５は、判定結果が前回判定時の判定結果と相違する場合に、今回の判定結果を示す信号をカラオケ装置１のＣＰＵ１４へ出力する。
【００３５】
［３．２．タッチスイッチ３３８の構成および動作の説明］
また、タッチスイッチ３３８は、図３（ｂ）に示すように、化粧パネル３３の表面３３ａのうちの凹部３３ｂおよびその周囲に形成され、このタッチスイッチ３３８の後方には、タッチパネル３４の表面３４ａに取り付けられた４個の電極３８が配置され、さらに後方には基板３２の実装面３２ａに実装されたＬＥＤ３６が配置される。
【００３６】
上述の化粧パネル３３の凹部３３ｂは、利用者の指先を包囲可能な内周面３３ｄと内周面３３ｄに囲まれる底部３３ｅとを有する。また、化粧パネル３３の凹部３３ｂが形成される表面３３ａとは反対側の裏面３３ｃには凸部３３ｆが凹部３３ｂと対となるように形成されている。この凸部３３ｆは、裏面３３ｃからＬＥＤ３６へ向けて突出するとともに対となる凹部３３ｂの内周面３３ｄに沿う形状を有する外周面３３ｇと、対となる凹部３３ｂの底部３３ｅに沿う形状を有する頂部３３ｈとを有する。
【００３７】
また、タッチパネル３４には、化粧パネル３３の凸部３３ｆを挿入可能な挿通孔３４ｂと、挿通孔３４ｂの周縁部３４ｃから挿通孔３４ｂ内部に向けて延出する４つの舌片３４ｄとが形成されている。なお、本実施形態では、タッチパネル３４には、複数の舌片３４ｄが、挿通孔３４ｂの周縁部３４ｃの等角度で分割される位置から挿通孔３４ｂ内部に向けて延出するように形成される。
そして、タッチパネル３４の表面３４ａでもある各舌片３４ｄの表面それぞれには、舌片３４ｄと同数存在する電極３８（図３（ｂ）では電極Ａ〜Ｄと図示）がそれぞれ取り付けられている。
【００３８】
さらに、タッチパネル３４は、化粧パネル３３の凸部３３ｆが挿通孔３４ｂに挿入される状態で化粧パネル３３の裏面３３ｃに両面テープ３９を介して貼り付けられることにより、各舌片３４ｄが化粧パネル３３の凸部３３ｆの外周面３３ｇに接触するとともに、各舌片３４ｄの表面３４ａそれぞれに取り付けられた各電極３８が、化粧パネル３３の外周面３３ｇに接触するか、両面テープ３９を介して化粧パネル３３の外周面３３ｇに近接する。
【００３９】
そして、パネルマイコン３５は、タッチスイッチ処理を実行する。以下に、タッチスイッチ処理について、図５のフローチャートを参照して説明する。
まず、パネルマイコン３５は、タッチスイッチ３３８の後方に配置される４個の電極３８それぞれに静電容量を示す信号を、ＩＣチップ３７を介して受け取る（Ｓ１０５〜Ｓ１２０）。なおこの場合、パネルマイコン３５が、４個の電極３８それぞれの静電容量が所定の閾値より増加した場合にはどの電極３８に利用者の指が近づいたかをＩＣチップ３７から信号にて知らせてもらうようにしてもよい。そして、パネルマイコン３５は、受け取った信号に基づき、静電容量が閾値を越える電極３８が二つ以上あるか否かを判断する（Ｓ１２５）。静電容量が閾値を越える電極３８が二つ以上ある場合には、パネルマイコン３５は、タッチスイッチ３３８に対して利用者によるタッチ操作が行われたと判定する（Ｓ１２５：ＹＥＳ）。一方、静電容量が閾値を越える電極３８が一つ未満である場合には、パネルマイコン３５は、タッチスイッチ３３８に対して利用者によるタッチ操作が行われていないと判定する（Ｓ１２５：ＮＯ）。さらに、パネルマイコン３５は、前回判定時の判定結果を記憶するフラグを参照して、判定結果が前回判定時の判定結果と相違するか否かを判断する（Ｓ１３５、Ｓ１５５）。判定結果が前回判定時の判定結果と同一である場合には（Ｓ１３５：ＮＯ、Ｓ１５５：ＮＯ）、パネルマイコン３５は、何もせずにそのままリターンする。一方、判定結果が前回判定時の判定結果と相違する場合には（Ｓ１３５：ＹＥＳ、Ｓ１５５：ＹＥＳ）、パネルマイコン３５は、今回の判定結果を示す信号をカラオケ装置１のＣＰＵ１４へ出力し（Ｓ１４０、Ｓ１６０）、フラグを今回の判定結果を示す内容に書き換え（Ｓ１４５、Ｓ１６５）、リターンする。
【００４０】
また、利用者によるタッチ操作が、更に正確であるか否か（タッチスイッチ３３８の中心を一定期間中押し続けているかどうか）を判定するには、Ｓ１２５のＹＥＳ条件を「電極３８が全てオンである」こととして、Ｓ１３５のＮＯ判断が何回連続したか、つまり維持したかによって、電極３８が全てオンである状態を所定の期間中維持したか否かを判断することによって判定すればよい。
【００４１】
［３．３．タッチスイッチ３３１〜３３８のＬＥＤ点灯動作の説明］
また、パネルマイコン３５は、当該操作パネル１０が搭載されるカラオケ装置１のＣＰＵ１４からの信号を受信した場合には、その信号に応じた処理を実行する。
【００４２】
例えば、受信した信号が１１個のＬＥＤ３６の何れかを点灯する旨の指示を示す場合には、該当するＬＥＤ３６を制御して可視光を前方に照射させるといった具合である。この場合にＬＥＤ３６から照射された可視光は、タッチパネル３４および化粧パネル３３を通過して前方に進行し、可視光が通過した化粧パネル３３のタッチスイッチを点灯させることで、そのタッチスイッチに対応付けられている機能が実行されていることを知らせることができる。
［４．実施形態の効果］
このように本実施形態のカラオケ装置１によれば、利用者の指先が化粧パネル３３のタッチスイッチ３３８の周囲に触れただけの場合や利用者の指先が化粧パネル３３の凹部３３ｂの奥まで挿入されていない場合などの利用者が意図せずにタッチスイッチ３３８に触れてしまったと想定される場合には、タッチスイッチ３３８の後方に配置された４個の電極３８のうちの二つ以上の電極３８が同時にオンとなることはなく、パネルマイコン３５もタッチスイッチ３３８へのタッチ操作がなされたと判定しない。もちろんこの場合には、パネルマイコン３５は、タッチスイッチ３３８へのタッチ操作がなされたと判定した旨を示す信号をカラオケ装置１のＣＰＵ１４へ出力することはない。したがって、利用者が意図せずにタッチスイッチ３３８周囲に触れてしまった場合であっても、利用者が意図しない動作をカラオケ装置１が実行することを防ぐことができるという、誤動作しにくい操作パネルをカラオケ装置１に提供できる。
【００４３】
また、本実施形態のカラオケ装置１によれば、タッチスイッチ３３８の後方に配置された４個の電極３８全てがオンであることを検出した場合にタッチスイッチ３３８へのタッチ操作がなされたと判断したり、電極３８がオンである期間や電極３８の静電容量を判定するための所定の閾値を変更することによって感度を調整することで、タッチスイッチ３３８の種別に応じて誤動作防止レベルを様々に変更できる。よって、例えばカラオケボックスなどに親子が来店し、本来は親がカラオケ装置１を操作するところをタッチスイッチ３３８に子供が一瞬、指を突っ込むなどのタッチ操作を行っても、タッチスイッチ３３８の凹部３３ｂの中心部（底部３３ｅ）を一定期間押していないと動作しないなど、誤動作せずに使用状況に応じた対応することができるという、誤動作しにくい操作パネル１０をカラオケ装置１に提供できる。
［５．他の実施形態］
以上、本発明の一実施形態について説明したが、本発明は上記実施形態に限定されるものではなく、以下のような様々な態様にて実施することが可能である。
【００４４】
（１）本発明は、カラオケ装置だけでなく、他の電子機器に適用可能である。
（２）本発明は、演奏停止スイッチだけでなく、その他の機能を停止させるスイッチにも適用可能である。また、本発明は、電源スイッチにも適用可能である。また、本発明は、一時停止機能などの特定の機能を再度実行させるスイッチにも適用可能である。
【００４５】
（３）上記実施形態では、タッチパネル３４の表面３４ａが両面テープ３９を介して化粧パネル３３の裏面３３ｃに取り付けられているが、これには限らず、タッチパネル３４の表面３４ａを、接着剤を用いて化粧パネル３３の裏面３３ｃに取り付けてもよい。
【００４６】
（４）また、図４（ｃ）に例示するように、タッチパネル３４の表面３４ａを、タッチパネル３４に形成された孔３４ｅに挿通されるビス４０の先頭を化粧パネル３３の裏面３３ｃの凸部３３ｆより外側の部分に形成された孔３３ｉに取り付けることにより、化粧パネル３３の裏面３３ｃに取り付けてもよい。
【００４７】
また、ビス４０によるねじ止めの位置が化粧パネル３３の裏面３３ｃの凸部３３ｆより外側となるように構成されることにより、タッチパネル３４自体が凸部３３ｆによって撓んで凸部３３ｆの斜面（外周面３３ｇ）に当接する。このことにより、ビス４０によるねじ止め作業を行う作業者が、化粧パネル３３の凸部３３ｆとなる化粧パネル３３の裏面３３ｃ上部から簡単にタッチパネル３４を正確に取り付けられるので、簡単に誤動作しにくい操作パネル１０をカラオケ装置１に提供できる。
【符号の説明】
【００４８】
１…カラオケ装置、２…筐体、２ａ…開口部、１０…操作パネル、１１…映像処理部、１２…ＭＰＥＧデコーダ、１３…ＨＤＤ、１４…ＣＰＵ、１５…メモリ、１６…ＬＡＮインターフェース、１７…ＲＴＣ、１８…ＭＩＤＩ音源部、１９…音声処理部、２０…アンプ、２２…スピーカ、２３…マイク、２４…モニタ、３１…筐体、３１ａ…開口部、３２…基板、３２ａ…基板の実装面、３３…化粧パネル、３３ａ…化粧パネルの表面、３３ｂ…凹部、３３ｃ…化粧パネルの裏面、３３ｄ…凹部の内周面、３３ｅ…凹部の底部、３３ｆ…凸部、３３ｇ…凸部の外周面、３３ｈ…凸部の頂部、３３ｉ…孔、３４…タッチパネル、３４ａ…タッチパネルの表面、３４ｂ…挿通孔、３４ｃ…挿通孔の周縁部、３４ｄ…舌片、３４ｅ…孔、３５…パネルマイコン、３６…ＬＥＤ、３７…ＩＣチップ、３８…電極、３９…両面テープ、４０…ビス、３３１…タッチスイッチ（電源スイッチ）、３３２，３３３…タッチスイッチ（ミュージック音量スイッチ）、３３４，３３５…タッチスイッチ（マイク音量スイッチ）、３３６，３３７…タッチスイッチ（マイクエコー音量スイッチ）、３３８…タッチスイッチ（演奏停止スイッチ）
【図１】
2010205438.tif 000003
【図２】
2010205438.tif 000004
【図３】
2010205438.tif 000005
【図４】
2010205438.tif 000006
【図５】
2010205438.tif 000007